(57)【要約】【課題】雨、雪あるいは日射しから車椅子利用者を守ること。使用中に蒸し暑くならず、且つ透明ブラインドが曇ることもなく、気候を心配せずに安心して外出し易くすること。【解決手段】車椅子利用者Ａを覆う透明ブラインド３を車椅子ボディに取り付けた透明ブラインド付き車椅子１である。車椅子ボディ２の左右両サイドに配置されるドア部４と、前側に配置されるフロントカバー部５と、上方に配置されるルーフ部６と、後側に配置されるリアカバー部７とを備えると共に、少なくともフロントカバー部５及びドア部４の上半部が開閉可能な透明ブラインド３で構成されていると共に、透明ブラインド３が車椅子ボディ２に設けた取付フレーム８に着脱可能に取り付けられている。【選択図】        図１
2004298235.tif 000002
【特許請求の範囲】
【請求項１】
車椅子利用者を覆う透明ブラインドを車椅子ボディに取り付けた透明ブラインド付き車椅子であって、車椅子ボディの左右両サイドに配置されるドア部と、前側に配置されるフロントカバー部と、上方に配置されるルーフ部と、後側に配置されるリアカバー部とを備えると共に、少なくともフロントカバー部及びドア部の上半部が開閉可能な透明ブラインドで構成されていると共に、透明ブラインドが車椅子ボディに設けた取付フレームに着脱可能に取り付けられてなることを特徴とする透明ブラインド付き車椅子。
【請求項２】
上記透明ブラインドの内側に網戸を配設したことを特徴とする請求項１記載の透明ブラインド付き車椅子。
【発明の詳細な説明】
【０００１】
【発明の属する技術分野】
本発明は、車椅子に乗った人（以下、「車椅子利用者」と称する。）が、雨の日、雪の日或いは寒い日に外出するとき、雨や雪或いは寒風に晒されないようにするための透明ブラインド付き車椅子に関するものである。
【０００２】
【従来の技術】
従来、レバーを手で動かすことにより走行できる手動式車椅子が知られている（例えば、特許文献１参照）。
【０００３】
【特許文献１】
実開平６−５６１７号公報
【０００４】
【発明が解決しようとする課題】
ところが、従来、車椅子利用者は、雨の日や雪の日、あるいは日射しの強い日に外出したとき、介護者に傘をさしかけてもらうか、或いは、合羽を着て雨や雪に濡れないようにする必要がある。又、寒い日には厚着をして寒さから身を守る必要がある。しかしながら介護者が車椅子利用者に傘をさしかける方法は、風雨や風雪の強い日には、車椅子利用者と介護者が雨や雪に濡れる恐れがあるという問題点を有している。また合羽を着る方法は、車椅子利用者が不自由な体で合羽を着なければならず、合羽を着るのに時間がかかるという問題点を有している。車椅子利用者が傘をさす場合、雨や雪によって手が濡れたり、視界が遮られて危険であるという問題点も有している。
【０００５】
そこで、本発明者は本発明に至る過程で、車椅子利用者を車椅子ボディに取り付けた透明ガラスパネルで覆う構造を考えた。ところが、透明ガラスパネルで車椅子利用者の足先から頭部までの全体を覆う場合、使用しているうちに、透明ブラインド内には、熱がこもり、また、湿気により、蒸し暑くなり、また、透明のカバーが曇って前方が見えなくなるだけでなく、圧迫感を感じるという欠点があった。
【０００６】
本発明は、上記の従来例の問題点に鑑みて発明したものであって、その目的とするところは、雨、雪あるいは日射しから車椅子利用者を守ることができ、しかも使用中に蒸し暑くならず、且つ透明ブラインドが曇ることもなく、気候を心配せずに安心して外出し易くなる透明ブラインド付き車椅子を提供することにあり、他の目的とするところは、透明ブラインドが開放された状態でも外部から車椅子内部を透視されることがなく、しかも通風及び採光も確保しながら、昆虫等の侵入を防止できる透明ブラインド付き車椅子を提供することにある。
【０００７】
【課題を解決するための手段】
上記課題を解決するために本発明にあっては、車椅子利用者Ａを覆う透明ブラインド３を車椅子ボディ２に取り付けた透明ブラインド付き車椅子であって、車椅子ボディ２の左右両サイドに配置されるドア部４と、前側に配置されるフロントカバー部５と、上方に配置されるルーフ部６と、後側に配置されるリアカバー部７とを備えると共に、少なくともフロントカバー部５及びドア部４の上半部が開閉可能な透明ブラインド３で構成されていると共に、透明ブラインド３が車椅子ボディ２に設けた取付フレーム８に着脱可能に取り付けられてなることを特徴としており、このように構成することで、暑いときは透明ブラインド３を開くことで、使用中に蒸し暑くならず、しかも通風性が良くなるため透明ブラインド３が曇ることもなくなると共に、透明ブラインド３に紫外線吸収材料や赤外線遮断効果のある材料を用いれば、日差しの強い日に外出するときでも、車椅子利用者Ａを紫外線や太陽熱から保護しながら、窓の通風、換気及び採光を確保できるようになる。一方、寒いときや雨のときは、透明ブラインド３を閉じることで、車椅子利用者Ａを雨や寒風等から保護でき、体の不自由な車椅子利用者Ａにとって使い勝手が良くなり、また雨等が入らない程度に透明ブラインド３を下向きに半開きの状態にして使用することで、雨の中を移動する際に熱と湿気が内部にこもるようなこともないので、蒸し暑くなることがなく、透明ブラインド３が曇ることもなくなる。
【０００８】
また上記透明ブラインド３の内側に網戸９を配設するのが好ましく、この場合、透明ブラインド３が開放された状態でも外部から車椅子１内部を透視されることがなく、しかも網戸９によって通風及び採光も確保しながら、昆虫等の侵入を防止できるようになり、さらに不意の雨が降ってきた場合でも、直接雨水が車椅子利用者Ａに向かって吹き込まないようにできる。
【０００９】
尚、上記透明ブラインド３や網戸９は、車椅子ボディ２内に収納されており、必要に応じて出し入れ可能となるようにすることが望ましい。また、フロントカバー部５や左右両サイドのドア部４に設けられる透明ブラインド３は、透明プラスチックとブラインドとの混合であってもよい。
【００１０】
【発明の実施の形態】
以下、本発明を添付図面に示す実施形態に基づいて説明する。
【００１１】
図１は本実施形態の透明ブラインド付き車椅子１の一例を示し、図２は透明ブラインド３の分解図を示し、図３は透明ブラインド３の開閉状態の説明図を示している。
【００１２】
車椅子ボディ２は、ミニカーの外観をしており、図１に示すように、車椅子利用者Ａが座る座部１０、背もたれ部１１及び足載せ部１２が設けられていると共に、車椅子利用者Ａが握るハンドル（図示せず）や、ライト１３のスイッチ（図示せず）等が設けられている。
【００１３】
車椅子ボディ２の下面にはその前後両側に左右一対の後輪１４と前輪１５とが設けられている。なお、車輪は４輪式、３輪式のいずれであってもよい。さらに図５に示すように車椅子ボディ２の下面に、中央側に寄せて複数の中央車輪１６を設けた多輪式としてもよい。この場合、車椅子１の軽走行を実現できると共に、段差のある場所での安定感が良くなる。特に車椅子利用者Ａのおしりの下に中央車輪１６が追加されることで、段差のある場所でひっくり返ることなく安全に走行できるようになる。なお図５（ａ）の例では左右２列、前後３列で合計６個の中央車輪１６を設けているが、例えば図５（ｂ）のように、左右の後輪１４，１４間に一列に複数の中央車輪１６を並べて設けてもよいものであり、中央車輪１６の数、位置は特に限定されないものである。
【００１４】
また、上記車椅子ボディ２の上には、その左右両サイドに配置されるドア部４と、前側に配置されるフロントカバー部５と、上方に配置されるルーフ部６と、後側に配置されるリアカバー部７とが設けられており、少なくとも、フロントカバー部５及びドア部４の上半部が開閉可能な透明ブラインド３で構成されている。
【００１５】
ドア部４は、図２に示すように、その下半部が把手１７を備えたドアパネル１８で構成され、上半部が枠に嵌め込まれた透明ブラインド３で構成されている。ドア部４の下半部をドアパネル１８で構成することで、特にドア部４の下半部の密閉性がよくなり、足元からの雨水の浸入を確実に防止できるようなり、一方、ドア部４の上半部を透明ブラインド３とすることで、視界の確保や雨除け、通風性などを図ることができるようになる。
【００１６】
フロントカバー部５は、図２に示すように、前側の透明ブラインド３ａと両サイドに配置される両側の透明ブラインド３ｂ，３ｂとからなり、両側の透明ブラインド３ｂ，３ｂの上部はドア部４の上半部の透明ブラインド３と連続して取り付けられるようになり、両側の透明ブラインド３の下部は取付フレーム８の両側フレーム８ｄに取り付けられるようになっている。
【００１７】
上記開閉可能な透明ブラインド３は、車椅子利用者Ａを雨風等から保護するためのものであり、図３に示すように、空間を仕切る複数の透明ルーバ２０と、各透明ルーバ２０の両端部を回転可能に連結する連結部材２１と、透明ルーバ２０を回転操作する紐（図示せず）とで構成され、車椅子利用者Ａが紐を引っ張り操作して透明ルーバ２０を回転させるようにしている。これは既存のブラインド式のシャッターカーテンと同じ仕組みである。もちろん透明ブラインド３の開閉方式は図３には限られず、例えばロールスクリーン方式のように巻き取られるタイプのものでも可能である。また手で紐を引っ張り操作する場合に限らず、スイッチ操作による電動開閉式でも可能である。なお透明ルーバ２０は紫外線吸収材料を用いるのが好ましく、また夏季には赤外線遮断効果のある材料を用いるのが好ましい。さらに赤外線を吸収することができるものを透明ブラインド３に付け替え（着せ替え）可能にしてもよく、赤外線を吸収することができるものを取り付けることで冬は暖かくでき、また取り外すことで夏は涼しくすることができる。また複数の透明ルーバ２０は、図３に示すように、上下方向に並べて配置されているが、必ずしも上下方向に限られず、左右方向に並べて配置されてもよく、車椅子利用者Ａの好みに合わせて任意に変更自在である。
【００１８】
上記透明ブラインド３は、車椅子ボディ２に設けた取付フレーム８に着脱可能に取り付けられている。取付フレーム８は、ドア部４が取り付けられる四角枠状をした左右一対のサイドフレーム８ａと、フロントカバー部５が取り付けられる前側フレーム８ｃ及び両側フレーム８ｄと、ルーフ部６が取り付けられる上側フレーム８ｂとを備えている。
【００１９】
ここで、取付フレーム８に対する透明ブラインド３の取付手段として、各種のクランプ金具、或いは蝶ナットとボルトの組合せ等のように簡単に着脱できる周知の取付手段を利用することができるが、ドア部４は乗り降りのために開閉させる必要があるため、ドア部４の取付手段としては例えばスライドレール（図示せず）を用い、ドア部４を図１の矢印Ｂで示すように後方に開いたり、或いは車椅子ボディ２下部に開くようにすることが考えられる。もちろん、スライドレールに限られるものではなく、ドア部４を蝶番（図示せず）を用いて取付フレーム８に回動可能に連結し、ドア部４を外側に押して回転させて開くようにすることも可能である。また、ルーフ部６も前後にスライドさせたり、或いは上方に開閉できるように、取付フレーム８に取り付けるようにしてもよい。このように、ドア部４やルーフ部６を取り付けるに際して、スライドさせて開く場合と回転させて開く場合のいずれも選択的に可能となり、車椅子利用者Ａの好みのタイプに適用できるものである。
【００２０】
上記構成によれば、車椅子１の使用時において、暑いときは図３の破線で示すように透明ブラインド３を開くことにより、使用中に蒸し暑くならず、しかも通風性が良いため透明ブラインド３が曇ることもなくなる。また、透明ブラインド３に紫外線吸収材料や赤外線遮断効果のある材料を用いれば、日差しの強い日に外出するときでも、窓の通風、換気及び採光を確保しながら、車椅子利用者Ａを紫外線や太陽熱から保護できるようになる。一方、寒いときや雨、雪のときは、透明ブラインド３を図３の実線で示すように閉じた状態にする。これにより車椅子利用者Ａと車椅子ボディ２が透明ブラインド３によって覆われることとなり、車椅子利用者Ａを雨や雪或いは寒風から守ることができる。しかも寒さ対策として厚着をしなくてもすむようにもなり、体の不自由な車椅子利用者Ａにとって使い勝手が良くなる。なお、雨や雪の日は雨等が入らない程度に透明ブラインド３を下向きに半開きの状態にして車椅子１を使用すれば、雨粒が気にならず視界がはっきりするため、雨の中でも安全に移動できるようなり、そのうえ熱と湿気が内部にこもるようなこともないので、蒸し暑くなることがなく、且つ透明ブラインド３の曇りもなくなる。この結果、本発明に係る透明ブラインド付き車椅子１を用いることで、車椅子利用者Ａは気候を心配せずに安心して外出し易くなり、車椅子利用者Ａの社会への進出を促進することができる。
【００２１】
また本例の透明ブラインド付き車椅子１はミニカーの外観をしているため、外観全体の意匠デザインが良くなり、見栄えが良くなると共に、高級感を持たせることができる。しかも既存のブラインド式のシャッターカーテンを用いるため、低コストであり、そのうえ車椅子利用者Ａを覆うように配置される開閉可能な透明ブラインド３は軟らかい材質であるため、安全性を十分に確保しながら使用できるものとなる。さらに透明ブラインド３を取付フレーム８から取り外し可能となっているので、透明ブラインド３の掃除を容易に行なうことができるという利点がある。
【００２２】
なお、フロントカバー部５及びドア部４の上半部を透明ブラインド３で構成しているが、さらに他例としてドア部４全体を透明ブラインド３で構成してもよいものであり、また、ルーフ部６及びリアカバー部７をそれぞれ透明ブラインド３で構成してもよいものである。
【００２３】
図４は、透明ブラインド３の内側に、網９ａを矩形状の枠板９ｂ内に張設して構成される網戸９を設置した場合の一例を示している。網戸９を設けることで、透明ブラインド３が開放された状態でも外部から車椅子１内部を透視されることがなく、しかも網戸９によって通風及び採光も確保しながら、昆虫等の侵入を防止できるようになり、さらに不意の雨が降ってきた場合でも、直接雨水が車椅子利用者Ａに向かって吹き込まないようになる。また、網戸９を取付フレーム８に対して着脱可能に取り付けようにすれば、網戸９が汚れたときは取り外して掃除が容易にできるという利点もある。また網戸９を車内の内側から必要に応じて出し入れ可能となるように車椅子ボディ２内に収納するようにしてもよい。
【００２４】
なお、前記各実施形態において、透明ブラインド３のルーフ部６の上面に、雨水を集めて排出する雨水排出樋を設けることも可能である。この場合、透明ブラインド３を流下しようとする雨水がルーフ部６上の雨水排出樋に集められるため、ドア部４やフロントカバー部５に雨水が流下して視界が遮られるという問題も解消できるようになる。
【００２５】
また、開閉可能な透明ブラインド３として折り畳み可能な材質を用いることで、折り畳み形式の車椅子１にも広く適用可能となる。さらに自走式、電動式のいずれの車椅子１にも広く適用できるものである。
【００２６】
【発明の効果】
上述のように請求項１記載の発明にあっては、車椅子利用者を覆う透明ブラインドを車椅子ボディに取り付けた透明ブラインド付き車椅子であって、車椅子ボディの左右両サイドに配置されるドア部と、前側に配置されるフロントカバー部と、上方に配置されるルーフ部と、後側に配置されるリアカバー部とを備えると共に、少なくともフロントカバー部及びドア部の上半部が開閉可能な透明ブラインドで構成されていると共に、透明ブラインドが車椅子ボディに設けた取付フレームに着脱可能に取り付けられてなるので、暑いときは透明ブラインドを開くことで、使用中に蒸し暑くならず、しかも通風性が良いため透明ブラインドが曇ることもなくなると共に、透明ブラインドとして紫外線吸収材料や赤外線遮断効果のある材料を用いれば、日差しの強い日に外出するときでも、窓の通風、換気及び採光を確保しながら、車椅子利用者を紫外線や太陽熱から保護できるようになる。一方、寒いときや雨のときは、透明ブラインドを閉じることで、車椅子利用者を雨や寒風等から保護でき、体の不自由な車椅子利用者にとって使い勝手が良くなり、また雨等が入らない程度に透明ブラインドを下向きに半開きの状態にして使用することで、雨の中を移動する際に熱と湿気が内部にこもるようなこともないので、蒸し暑くなることがなく、透明ブラインドが曇ることもない。この結果、本発明に係る透明ブラインド付き車椅子を用いることで、車椅子利用者は気候を心配せずに安心して外出し易くなり、車椅子利用者の社会への進出を促進することができるという効果がある。さらに透明ブラインドを取付フレームから取り外し可能とすることで、透明ブラインドの掃除や、車椅子ボディの掃除を容易に行なうことができるという効果もある。
【００２７】
また請求項２記載の発明は、請求項１記載の効果に加えて、上記透明ブラインドの内側に網戸を配設したので、透明ブラインドが開放された状態でも外部から車椅子内部を透視されることがなく、しかも網戸によって通風及び採光も確保しながら、昆虫等の侵入を防止できるようになり、さらに不意の雨が降ってきた場合でも、直接雨水が車椅子利用者に向かって吹き込まないようにできるという効果がある。
【図面の簡単な説明】
【図１】本発明の一実施形態の透明ブラインド付き車椅子を示す側面図である。
【図２】同上のドア部、フロントカバー部を車椅子ボディに取り付ける場合の説明図である。
【図３】同上の透明ブラインドの説明図である。
【図４】同上の透明ブラインドの内側に網戸を配置した場合の説明図である。
【図５】（ａ）は同上の車椅子ボディの下面中央に複数の中央車輪を縦横に設けた場合の一例の説明図、（ｂ）は中央車輪を左右の後輪間に横一列に設けた場合の説明図である。
【符号の説明】
１  車椅子
２  車椅子ボディ
３  透明ブラインド
４  ドア部
５  フロントカバー部
６  ルーフ部
７  リアカバー部
８  取付フレーム
９  網戸
Ａ  車椅子利用者
【図１】
2004298235.tif 000003
【図２】
2004298235.tif 000004
【図３】
2004298235.tif 000005
【図４】
2004298235.tif 000006
【図５】
2004298235.tif 000007